(57)【要約】      （修正有）【課題】安定した信号伝送を可能な状態にする信号補償機能付きＤＶＩケーブルを提供する。【解決手段】ＤＶＩインターフェースを搭載した機器間の接続の際に、信号補償を行う為に電子回路基板４と信号補償ＩＣチップ５をコネクタに内蔵する。信号補償機能付きＤＶＩケーブルを使用することで、安定して信号を伝送し映像を映し出すことが出来る。【選択図】図２
0003197917.tif 000002
【実用新案登録請求の範囲】
【請求項１】
ＤＶＩインターフェースを搭載した機器間の接続の際に、信号補償を行うことが可能な信号補償機能を内蔵したコネクタを搭載したＤＶＩケーブル。
【考案の詳細な説明】
【技術分野】
【０００１】本考案は、ＤＶＩコネクタおよびそのインターフェースを搭載したケーブル、そのコネクタ内部の構造と特性に係り、特にＤＶＩケーブルのコネクタ内部に補償機能を搭載して、安定した信号伝送を可能な状態とするための構造に関する。
【背景技術】
【０００２】従来、ＤＶＩコネクタ付きケーブルは、長さが短い場合には伝送特性や映像は安定している傾向があるが、同じＤＶＩコネクタを搭載した長尺ケーブルでは、信号の減衰やインピーダンス、スキュー、静電容量、ノイズなどの影響で、ＤＶＩ信号が劣化し、正確に伝送できない状態となる。またその為、映像が乱れる、映らない、という現象が発現する。その場合に信号を補償する機器を、ケーブルとの間に使用してある程度安定させることができるが、ケーブルと補償器は製品によりそれぞれ固有の特性を有していることから、組み合わせによっては不安定な状態になる場合がある。考案した補償機能内蔵コネクタを搭載したケーブルを使用することで、通常のＤＶＩケーブルと同じ使い勝手でありながら、別の補償器を使用する必要がない為、組み合わせを考慮する必要もなく、安定したＤＶＩ信号伝送が可能となり、安定的に映像を映し出すことが可能な状態にすることが出来る。
【先行技術文献】
【特許文献】
【０００３】なし
【非特許文献】
【０００４】なし
【考案の概要】
【考案が解決しようとする課題】
【０００５】従来のＤＶＩコネクタ付きケーブルは、長さが短い場合や導体径が太い場合には伝送特性や映像は安定している傾向があるが、同じＤＶＩコネクタを搭載した長尺ケーブルや導体径が細いケーブルでは、信号の減衰やインピーダンス特性、スキュー特性、静電容量、ノイズなどの影響で、信号が正確に伝送できない状態となる。またその為、映像が乱れる、映らない、という現象が発生する。
【課題を解決するための手段】
【０００６】信号補償機能を有した電子部品をコネクタに内蔵し、ケーブルにそのコネクタを搭載。信号補償機能付きＤＶＩケーブルとして製造する。
【考案の効果】
【０００７】通常のＤＶＩケーブルと同じ使い勝手でありながら、別の補償器を使用することなく、組み合わせによる不安定な状態にもならずに、安定した信号伝送が可能となり、安定して映像を映し出すことが可能な状態にすることが出来る。
【図面の簡単な説明】
【０００８】
【図１】ＤＶＩケーブルとコネクタの図である。
【図２】コネクタ内部の構造を示した図である。
【考案を実施するための形態】
なし
【実施例】なし
【産業上の利用可能性】
【０００９】ＤＶＩ端子を搭載したモニタおよびプロジェクタや映像送出器が多数利用される、放送設備、商業施設、公共施設等、様々な映像を映し出す機器、設置工事と配信サービスに係わる産業。
【符号の説明】
【００１０】▲１▼  ＤＶＩコネクタ
▲２▼  ケーブル
▲３▼  コネクタの内部構造と信号補償電子部品
【図１】
0003197917.tif 000003
【図２】
0003197917.tif 000004
【手続補正書】
【提出日】平成27年1月20日(2015.1.20)
【手続補正１】
【補正対象書類名】実用新案登録請求の範囲
【補正対象項目名】全文
【補正方法】変更
【補正の内容】
【実用新案登録請求の範囲】
【請求項１】
ＤＶＩインターフェースを搭載した機器間の接続の際に、信号補償を行う為に電子回路基板と信号補償部品をコネクタに内蔵したＤＶＩケーブル。
【手続補正２】
【補正対象書類名】明細書
【補正対象項目名】全文
【補正方法】変更
【補正の内容】
【考案の詳細な説明】
【技術分野】
【０００１】本考案は、ＤＶＩコネクタおよびそのインターフェースを搭載したケーブル、そのコネクタ内部の構造と特性に係り、特にＤＶＩケーブルのコネクタ内部に補償部品を搭載して、安定した信号伝送を可能な状態とするための構造に関する。
【背景技術】
【０００２】従来、５ｍ程度を超えるようなＤＶＩコネクタ付き長尺ケーブルは、信号の減衰やインピーダンス、スキュー、静電容量、ノイズなどの影響で、ＤＶＩ信号が劣化し、正確に伝送できない状態となるが、コネクタ内部に電子回路基板を内蔵し、その基板回路に信号補償ＩＣチップを搭載することで、別の信号補償器を使用せずに、安定したＤＶＩ信号伝送が可能となり、安定的に映像を映し出すことが可能な状態にすることが出来る。
【考案の概要】
【考案が解決しようとする課題】
【０００５】従来の５ｍを超えるような長さのＤＶＩケーブルや導体径が細いケーブルでは、信号の減衰やインピーダンス特性、スキュー特性、静電容量、ノイズなどの影響で、信号が正確に伝送できない状態となる。またその為、映像が乱れる、映らない、という現象が発生する。
【課題を解決するための手段】
【０００６】コネクタ内部に電子回路基板を内蔵し、その基板回路に信号補償ＩＣチップを搭載して、信号補償機能付きＤＶＩケーブルとして製造する。
【符号の説明】
【００１０】▲１▼ＤＶＩコネクタ▲２▼ケーブル▲３▼コネクタの内部構造と信号補償電子部品▲４▼電子回路基板▲５▼信号補償ＩＣチップ
【手続補正３】
【補正対象書類名】図面
【補正対象項目名】図２
【補正方法】変更
【補正の内容】
【図２】
0003197917.tif 000005
【手続補正書】
【提出日】平成27年4月8日(2015.4.8)
【手続補正１】
【補正対象書類名】手続補正書
【補正対象項目名】手続補正２
【補正方法】変更
【補正の内容】
【手続補正２】
【補正対象書類名】明細書
【補正対象項目名】全文
【補正方法】変更
【補正の内容】
【考案の詳細な説明】
【技術分野】
【０００１】本考案は、ＤＶＩコネクタおよびそのインターフェースを搭載したケーブル、そのコネクタ内部の構造と特性に係り、特にＤＶＩケーブルのコネクタ内部に補償部品を搭載して、安定した信号伝送を可能な状態とするための構造に関する。
【背景技術】
【０００２】従来、５ｍ程度を超えるようなＤＶＩコネクタ付き長尺ケーブルは、信号の減衰やインピーダンス、スキュー、静電容量、ノイズなどの影響で、ＤＶＩ信号が劣化し、正確に伝送できない状態となるが、コネクタ内部に電子回路基板を内蔵し、その基板回路に信号補償ＩＣチップを搭載することで、別の信号補償器を使用せずに、安定したＤＶＩ信号伝送が可能となり、安定的に映像を映し出すことが可能な状態にすることが出来る。
【先行技術文献】
【特許文献】
【０００３】なし
【非特許文献】
【０００４】なし
【考案の概要】
【考案が解決しようとする課題】
【０００５】従来の５ｍを超えるような長さのＤＶＩケーブルや導体径が細いケーブルでは、信号の減衰やインピーダンス特性、スキュー特性、静電容量、ノイズなどの影響で、信号が正確に伝送できない状態となる。またその為、映像が乱れる、映らない、という現象が発生する。
【課題を解決するための手段】
【０００６】コネクタ内部に電子回路基板を内蔵し、その基板回路に信号補償ＩＣチップを搭載して、信号補償機能付きＤＶＩケーブルとして製造する。
【考案の効果】
【０００７】通常のＤＶＩケーブルと同じ使い勝手でありながら、別の補償器を使用することなく、組み合わせによる不安定な状態にもならずに、安定した信号伝送が可能となり、安定して映像を映し出すことが可能な状態にすることが出来る。
【図面の簡単な説明】
【０００８】
【図１】ＤＶＩケーブルとコネクタの図である。
【図２】コネクタ内部の構造を示した図である。
【考案を実施するための形態】
なし
【実施例】なし
【産業上の利用可能性】
【０００９】ＤＶＩ端子を搭載したモニタおよびプロジェクタや映像送出器が多数利用される、放送設備、商業施設、公共施設等、様々な映像を映し出す機器、設置工事と配信サービスに係わる産業。
【符号の説明】
【００１０】▲１▼ＤＶＩコネクタ
▲２▼ケーブル
▲３▼コネクタの内部構造と信号補償電子部品
▲４▼電子回路基板
▲５▼信号補償ＩＣチップ